(57)【要約】  回転霧化式静電塗装（１）の回転軸（ＣＬ）に装着され、その内面の塗料拡散面（１１１）に塗料が供給されるベルカップ（１１）において、前記塗料拡散面のベルカップ基端側の端部（１１７）から中央部（１１６）までの第１範囲（１１４）は、前記回転軸に向かう凸状の曲面で構成され、前記中央部（１１６）からベルカップ先端縁（１１３）までの第２範囲（１１５）は、前記回転軸に向かう凹状の曲面で構成されている。
2014054438.tif 000002
【特許請求の範囲】
【請求項１】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成されている回転霧化式静電塗装装置のベルカップ。
【請求項２】
前記第１範囲の凸状の曲面は、前記回転軸を含む任意平面の断面において、前記ベルカップの回転により塗料液膜に作用する遠心力の法線成分が実質的に等しくなる曲面で構成されている請求項１に記載の回転霧化式静電塗装装置のベルカップ。
【請求項３】
前記第２範囲の凹状の曲面は、前記回転軸を含む任意平面の断面において、前記ベルカップの回転により塗料液膜に作用する遠心力の接線成分が実質的に等しくなる曲面で構成されている請求項１又は２に記載の回転霧化式静電塗装装置のベルカップ。
【請求項４】
前記回転軸を含む任意平面の断面において、前記第１範囲と前記第２範囲との境界点は、前記凸状の曲線と前記凹状の曲線との変曲点で構成される請求項１〜３のいずれか一項に記載の回転霧化式静電塗装装置のベルカップ。
【発明の詳細な説明】
【技術分野】
【０００１】
本発明は、回転霧化式静電塗装装置のベルカップに関するものである。
【背景技術】
【０００２】
自動車車体の塗装工程の中塗り塗装や上塗り塗装に用いられる回転霧化式静電塗装装置として、ベルカップ内面の塗料拡散面の少なくとも一部を当該ベルカップの回転軸に向かって凸状の曲面で構成し、これにより塗料の微粒化を促進して塗着効率を高めたものが知られている（特許文献１）。
【先行技術文献】
【特許文献】
【０００３】
【特許文献１】特許第３５５７８０２号公報
【発明の概要】
【発明が解決しようとする課題】
【０００４】
しかしながら、上記従来技術のベルカップによれば塗料の平均粒径は小さくなるものの、粒径分布の標準偏差が大きく、メタリック塗料を大吐出量・広パターンで塗装する際に光輝性顔料の配向性が低下するという問題がある。【０００５】
本発明が解決しようとする課題は、塗料の微粒化を促進して、平均粒径を小さくすると同時に粒径分布の標準偏差を小さくできる回転霧化式静電塗装のベルカップを提供することである。
【課題を解決するための手段】
【０００６】
本発明は、ベルカップの塗料拡散面の基端側を回転軸に向かう凸状曲面で構成し、先端側を回転軸に向かう凹状曲面で構成することによって上記課題を解決する。
【発明の効果】
【０００７】
塗料が供給されるベルカップの基端側では、塗料拡散面の塗料液膜が厚く、ベルカップの回転による慣性力が支配的である一方で、塗料が放出するベルカップの先端側では、塗料拡散面の塗料液膜が薄く、塗料の粘性力が支配的である。【０００８】
本発明ではこの知見に基づいて、ベルカップの基端側の塗料拡散面を、塗料液膜を塗料拡散面に押し付ける力を均等にできる凸状曲面で構成するので、塗料液膜を均一に拡散させることができる。一方、ベルカップの先端側の塗料拡散面を、塗料液膜を塗料拡散面に沿って放出する力を均等にできる凹状曲面で構成するので、塗料液膜を均一に拡散させることができる。【０００９】
これにより、塗料拡散面に螺旋流やフィンがリングといった流動パターンが生じるのを抑制することができ、ベルカップの先端縁の全周にわたって均一な量の塗料が放出されることになる。その結果、噴霧塗粒の平均粒径を小さくすることができると同時に、粒径分布の標準偏差を小さくすることができる。
【図面の簡単な説明】
【００１０】
【図１】本発明の一実施の形態に係るベルカップを適用した回転霧化式静電塗装装置の先端部を示す断面図である。
【図２】図１のベルカップを拡大して示す断面図である。
【図３】図２のベルカップの塗料拡散面をさらに拡大して示す図である。
【図４】メタリック塗装の光輝材の配向性を均一にするための方法を説明する図である。
【図５】実験室レベルで観察したベルカップ内面の液膜状態を示す図である。
【図６】ベルカップ内面にできる液膜模様の現象モデルを示す図である。
【図７】実施例１、比較例１及び比較例２のベルカップの内面形状を示す図である。
【図８】回転霧化式静電塗装装置に装着したベルカップ内面の液膜状態を示す図である。
【図９】回転霧化式静電塗装装置に装着したベルカップ内面の液膜状態を示す図である。
【図１０】回転霧化式静電塗装装置に装着したベルカップ内面の液膜状態を示す図である。
【図１１】水系塗料と有機溶剤系塗料によるベルカップ内面の液膜状態を示す図である。
【図１２】実施例１及び比較例１，２のベルカップの回転数に対する微粒化の平均粒径を示すグラフである。
【図１３】実施例１及び比較例１，２のベルカップの回転数に対する微粒化の平均粒径を示すグラフである。
【図１４】実施例１及び比較例１，２のベルカップの回転数に対する微粒化の平均粒径を示すグラフである。
【図１５】実施例１及び比較例１，２の粒径分布を示すグラフである。
【発明を実施するための形態】
【００１１】
以下、本発明の実施形態を図面に基づいて説明する。図１は、本発明の一実施の形態に係るベルカップ１１（霧化頭又は噴霧頭とも称されるが本明細書ではベルカップという。）を適用した回転霧化式静電塗装装置１の先端部を示す断面図であり、最初に図１を参照して回転霧化式静電塗装装置１の一例を説明する。なお、本発明のベルカップは、以下に説明する回転霧化式静電塗装装置１の構造にのみ限定されず、その他の構造の回転霧化式静電塗装装置にも適用することができる。
【００１２】
同図に示す回転霧化式静電塗装装置１（以下、静電塗装装置又は単に塗装装置１ともいう）は、電気絶縁性材料から形成されたハウジング１２内に設けられたエアーモータ１３によって回転する中空シャフト１４を有し、この中空シャフト１４の先端には、塗料を噴霧するベルカップ１１がねじ締結などにより固定され、中空シャフト１４とともに回転駆動する。また、中空シャフト１４の中心孔には、塗料供給装置１５から供給される塗料や洗浄シンナーをベルカップ１１に供給する非回転の中空フィードチューブ１６が配置され、ベルカップ１１の背面外周はハウジング１２の先端によって覆われている。
【００１３】
静電塗装装置１は、高圧電源１７からの印加によって帯電した塗料粒子を、被塗物との間に形成された静電界に沿って飛行させて当該被塗物に塗着させるものである。被塗物は、図１の右側に所定のガン距離を隔てて存在し、塗装台車や塗装ハンガを介して接地されている。高圧印加方式としては、図１に示すように高圧電源１７をハウジング１２内に設け、導電性材料で構成された中空シャフト１４を介して、同じく導電性材料で構成されたベルカップ１１に印加する内部印加型を採用することができる。またこれに代えて、ベルカップ１１を電気絶縁性材料で構成した場合は、高圧電源が接続された放電電極をベルカップ１１の周囲に設け、ベルカップ１１から飛び出した塗粒に印加する外部印加型の静電塗装装置も採用することができる。
【００１４】
また静電塗装装置１は、ベルカップ１１の背面側からシェーピングエアーと称される空気流をエアー吐出口１８から吐出し、ベルカップ１１で微粒化された塗料粒子を、ベルカップ１１の前方に位置する被塗物に向かう方向に偏向させる。このため、ハウジング１２の一部に、エアー供給装置１９に接続されたエアー通路２０が形成されるとともに、ハウジング１２の先端に当該エアー通路２０が連通する環状のエアー通路２１が形成されている。そして、環状のエアー通路２１に連通するエアー吐出口１８が、ハウジング１２の先端円周面に沿って所定間隔で複数個形成されている。このエアー吐出口１８から吹き出されるシェーピングエアーの流量や吹き出し角度を調節することにより、ベルカップ１１の先端から接線方向に飛び出した塗料粒子の飛行方向、すなわち塗装パターンを制御することができる。また、塗料粒子には上述した静電界による力以外にも、このシェーピングエアーによる運動量が与えられることになる。なお、図１に示すシェーピングエアーのエアー吹出口１８は環状に一列設けたが、シェーピングエアーの吹き出し角度を調整するために複数列設けてもよい。
【００１５】
フィードチューブ１６の先端は、中空シャフト１４の先端から露出し、ベルカップ１１の内部に向けて延在している。このフィードチューブ１６には、塗料供給装置１５から塗料又は洗浄シンナーが供給され、その先端からベルカップ１１の塗料拡散面１１１へ供給される。なお、洗浄シンナーは、ベルカップ１１の塗料拡散面１１１及び後述するハブ２２を洗浄するための洗浄液（有機溶剤系塗料の場合には有機溶剤、水系塗料の場合は水）であり、本例の塗装装置１を、色替え操作を必要とする上塗り塗装工程や中塗り塗装工程に適用した場合に、塗料の色替え時の洗浄用として供給されるものである。したがって、色替え操作が不要な塗装工程、たとえば単一種の中塗り塗料のみを塗装する中塗り塗装工程などにあっては、塗料のみがフィードチューブ１６に供給されることもある。色替え操作は、塗料供給装置１５に含まれる図示しないカラーチェンジバルブなどの色替弁ユニットにより行われる。
【００１６】
ベルカップ１１は、略カップ形状をなし、本例では金属などの導電性材料から形成され、カップ状の内面の塗料拡散面１１１、カップ状の外面１１２と、内面の先端に位置する塗料が放出される先端縁１１３とを有する。またベルカップ１１の基端側の中央であって、フィードチューブ１６の先端には、ハブ２２が取り付けられている。このハブ２２は、金属などの導電性材料でも電気絶縁性材料でも構成することができる。ハブ２２は、中空シャフト１４の先端又はベルカップ１１の基端に装着して、中空シャフト１４やベルカップ１１とともに回転するように構成してもよいし、フィードチューブ１６の先端に装着して非回転に構成してもよい。また、ベルカップ１１を電気絶縁性材料で構成することもできる。
【００１７】
また、ベルカップ１１が正面視において円形であることから、ハブ２２も正面視において円形とされている。そして、ハブ２２の外周部には所定間隔をもって複数の塗料吐出孔２３が形成され、フィードチューブ１６の先端から供給された塗料又は洗浄シンナーは、ハブ２２の塗料吐出孔２３を通過してベルカップ１１の塗料拡散面１１１へ導かれ、先端縁１１３の全周から飛散することになる。
【００１８】
次に、本例のベルカップ１１の塗料拡散面１１１の構成について説明する。
図２は、図１に示すベルカップ１１の拡大断面図であり、本例のベルカップ１１は、中空シャフト１４の回転軸ＣＬ廻りに回転対称とされた塗料拡散面１１１を有する。この塗料拡散面１１１は、ベルカップ１１の内面の基端側、具体的には塗料吐出孔２３の位置を始点１１７とし、ベルカップ１１の内面の先端縁１１３の位置を終点とする連続した曲面で構成されている。なお、これら始点および終点なる用語は、フィードチューブ１６からの塗料の流動方向に沿って表現した趣旨であり、塗料拡散面１１１の両端が、塗料吐出孔２３の位置１１７とベルカップ１１の内面の先端縁１１３とで定義される意味である。
【００１９】
特に本例の塗料拡散面１１１は、塗料吐出孔２３に対応する始点１１７から中央部の変曲点１１６（塗料拡散面１１１の三次元座標でみると複数の変曲点が円周方向に集合した変曲線）までの第１範囲１１４は、回転軸ＣＬに向かう凸状の曲面で構成される一方で、変曲点１１６からベルカップ１１の先端縁１１３までの第２範囲１１５は、回転軸ＣＬに向かう凹状の曲面で構成されている。図３は、本例の塗料拡散面１１１をさらに拡大した図である。
【００２０】
より具体的には、第１範囲１１４の凸状の曲面は、中空シャフト１４の回転軸ＣＬを含む任意平面の断面において、ベルカップ１１の回転により塗料液膜に作用する遠心力ＦＣの法線成分ＦＮが実質的に等しくなる曲面で構成されている。つまり、図３に示すように、第１範囲１１４の凸状の曲面においては、任意の点Ｐ１，Ｐ２，Ｐ３…のぞれぞれの遠心力をＦＣ１，ＦＣ２，ＦＣ３…としたときに、当該点Ｐ１，Ｐ２，Ｐ３…のぞれぞれの遠心力ＦＣ１，ＦＣ２，ＦＣ３…は、回転軸ＣＬからの水平距離をｒ、角速度をω、塗料の質量をｍとしたときに、Ｆｃ＝ｍｒω２であるから、始点１１７の遠心力が最も小さく、変曲点１１６に近づけば近づくほどその遠心力が大きくなる。そして、その各遠心力の法線成分ＦＮ１，ＦＮ２，ＦＮ３…がＦＮ１＝ＦＮ２＝ＦＮ３…となるよう、第１範囲１１４の凸状曲面が構成されている。
【００２１】
つまり、始点１１７の遠心力が最も小さく、変曲点１１６の遠心力が最も大きくなるので、それぞれの遠心力の法線成分が等しくなるには、始点１１７における塗料拡散面１１１の接線が回転軸ＣＬに対して平行に近く、変曲点１１６に近づけば近づくほど塗料拡散面１１１の接線の回転軸ＣＬに対する角度が大きくなるような凸状曲面とすればよい。
【００２２】
ここで遠心力の法線成分ＦＮ１＝ＦＮ２＝ＦＮ３…の条件は厳密な意味ではなく、ベルカップ１１の機械加工精度（たとえば±５％）を含めて実質的にＦＮ１＝ＦＮ２＝ＦＮ３となる趣旨である。第１範囲１１４の凸状曲面の具体的一般関数としては、たとえば回転軸ＣＬをＹ軸、塗料吐出孔２３に対応する始点１１７を含むベルカップ１１の半径方向をＸ軸、ａ，ｂ，ｃを定数とした場合に、ｙ＝ａlog（ｘ＋ｂ）＋ｃで表される対数関数を挙げることができる。
【００２３】
また第２範囲１１５の凹状の曲面は、中空シャフト１４の回転軸ＣＬを含む任意平面の断面において、ベルカップ１１の回転により塗料液膜に作用する遠心力の接線成分が実質的に等しくなる曲面で構成されている。つまり、図３に示すように、第２範囲１１５の凹状の曲面においては、任意の点Ｐ４，Ｐ５，Ｐ６…のぞれぞれの遠心力をＦＣ４，ＦＣ５，ＦＣ６…としたときに、当該点Ｐ４，Ｐ５，Ｐ６…のぞれぞれの遠心力ＦＣ４，ＦＣ５，ＦＣ６は、回転軸ＣＬからの水平距離をｒ、角速度をω、塗料の質量をｍとしたときに、Ｆｃ＝ｍｒω２であるから、変曲点１１６の遠心力が最も小さく、先端縁１１３に近づけば近づくほどその遠心力が大きくなる。そして、その遠心力の接線成分ＦＴ４，ＦＴ５，ＦＴ６…がＦＴ４＝ＦＴ５＝ＦＴ６…となるよう、第２範囲１１５の凹状曲面が構成されている。
【００２４】
つまり、変曲点１１６の遠心力が最も小さく、先端縁１１３の遠心力が最も大きくなるので、それぞれの遠心力の接線成分が等しくなるには、変曲点１１６における塗料拡散面１１１の接線が回転軸ＣＬに対して最も角度を有し、先端縁１１３に近づけば近づくほど塗料拡散面１１１の接線の回転軸ＣＬに対する角度が小さくなるような凹状曲面とすればよい。
【００２５】
ここで遠心力の接線成分ＦＴ４＝ＦＴ５＝ＦＴ６…の条件は厳密な意味ではなく、ベルカップ１１の機械加工精度（たとえば±５％）を含めて実質的にＦＴ４＝ＦＴ５＝ＦＴ６となる趣旨である。第２範囲１１５の凹状曲面の具体的一般関数としては、たとえば回転軸ＣＬをＹ軸、塗料吐出孔２３に対応する始点１１７を含むベルカップ１１の半径方向をＸ軸、α，β，γを定数とした場合に、ｙ＝α（ｅ＋β）ｘ＋γで表される指数関数や、ｙ＝α（ｘ＋β）２＋γで表される二次関数を挙げることができる。
【００２６】
また本例のベルカップ１１の塗料拡散面１１１は、回転軸ＣＬを含む任意平面の断面において、第１範囲１１４と第２範囲１１５との境界点１１６は、凸状曲面と凹状曲面とが滑らかに連続する曲面であればよいが、当該断面における凸状の曲線と凹状の曲線との変曲点で構成されることがより望ましい。この場合に、境界点１１６を含む前後の面が平面（つまり断面でいうと直線）であってもよい。変曲点１１６は、塗料の性質によって最適な位置が設定される。
【００２７】
次に、作用を説明する。
被塗物に塗料を塗装する場合、エアーモータ１３によって中空シャフト１４およびベルカップ１１を高速回転させる。塗料は、フィードチューブ１６を通ってベルカップ１１の基端部とハブ２２との間に供給される。ここに供給された塗料は、ベルカップ１１の回転による遠心力により、環状に形成された複数の塗料吐出孔２３から塗料拡散面１１１の始点１１７に至り、当該塗料拡散面１１１に沿って薄く引伸ばされながら先端縁１１３に向かい、この先端縁１１３から霧状に微粒化されて放出される。放出されようとする塗料粒子は、遠心力によって径方向外方に飛び出そうとするが、環状に設けられた複数のエアー吐出口１８から噴出されるシェーピングエアーによって、放出された塗料粒子は、前方に向けて絞り込まれるように所望の塗装パターンにコントロールないし整形され、被塗物に向けて運ばれることになる。同時に、高圧電源１７により高電圧が印加されたベルカップ１１により塗料粒子は帯電するので、アースに接続された被塗物に向けて飛行し、クーロン力によって効率よく被塗物の表面に付着することになる。
【００２８】
さて、回転霧化式静電塗装方法において、塗装パターンを大きくするとともに吐出量を大きくすると（以下、大吐出量・広パターンともいう）、塗装パターンを小さくした場合に比べて塗装時間が短縮される。すなわち、狭パターンで塗装する場合には２往復の塗装作業が必要な部位を、広パターンで塗装すれば１往復で足りるからである。ただし、所定の膜厚を確保するために狭パターンで塗装する場合に比べて大吐出量とする必要がある。
【００２９】
一方、塗装品質の中で最も難易度が高いのは、メタリック塗装における光輝材の配向であるといわれており、所望の色味を再現するには光輝材の配向を均一にしなければならない。光輝材の配向が不均一であると部位によって色味が異なるといった品質不良が発生し、また再現性が悪いと被塗物によって色味が異なるといった品質不良が発生するからである。光輝材の配向を均一にするための方法としては、図4に示すように、Ａ）塗粒の飛行速度を上げて被塗物に叩き付け光輝材を配向させるハードパターン法と、Ｂ）塗粒一粒に光輝材一粒を存在させる程度に塗粒径を小さくして被塗物に塗粒を均一に塗着させ配向させるソフトパターン法とがある。ハードパターン法では、シェーピングエアーの流量を上げることで塗粒の飛行速度を上げることが行われる。
【００３０】
図４の下図に示すように、いずれも目的とするメタリック感の特性値が合格レベルに達し、メタリック塗装における光輝材の配向を均一にする有効な塗装方法であるが、上述したように塗装工程の短縮化を図るために塗装パターンを広パターンにするには、シェーピングエアーの流量を小さくしなければならない。このため、上記Ａ）のハードパターン法を採用すると塗粒の飛行速度を上げることが困難になるため、上記Ｂ）のソフトパターン法が光輝材の配向を均一にするための前提条件となる。すなわち、大吐出量・広パターンの塗装を行ってメタリック塗装における光輝材の配向を均一にするためには塗粒径を小さくする、すなわち、微粒化を促進する必要がある。
【００３１】
塗料の微粒化はベルカップの周速度、すなわちカップ径と回転数に起因し、周速度が大きいほど微粒化が促進されることは知られているが、カップ径を大きくし過ぎると狭い部位を塗装する際に塗着ロスが生じるので一定の限界がある。また、回転数を上げるにしてもエアーモータの能力や耐久性に一定の限界がある。このため本発明者らは、ベルカップの周速度以外の、微粒化径の促進に強く寄与する要因を鋭意検討すべく、ベルカップの内面の塗膜形状メカニズムを解明するとともにこれを制御する技術を完成させるに至った。以下、本例のベルカップ１１の作用を含めて説明する。
【００３２】
まず実験室レベルで確認するために、内面形状が異なる複数のベルカップ１１を用意し、図５に示すようにベルカップ１１を種々の回転数で回転させながらその内面の中心に材質及び粘度などの性質が一定の塗料を種々の量で連続して滴下し、その液膜の拡散状態を高速度カメラで撮影した。その結果、同図の左上に示す液膜のパターンが現れなかったもの、右上に示す螺旋流が現れたもの、右下に示す多重の螺旋流が現れたもの、左下に示す多重の螺旋流に加えてフィンガリング（指状）パターンが現れたものがあり、ベルカップの回転数および塗料の吐出量に加えてベルカップ１１の内面形状も液膜の拡散状態の不安定性を促進させる一要因であることが確認された。
【００３３】
そこで、図６に示すようにベルカップ１１の内面にできる液膜模様の現象モデルを考えた。同図に示すように、ベルカップ１１の中心に連続的に滴下された塗料は、ベルカップ１１の回転による遠心力によって内面を拡散しつつベルエッジに到達するが、このとき液膜には、回転による遠心力と、ベルカップ１１の内面との間の粘性力と、液膜に生じる表面張力と、液膜にかかる重力とが作用する。このうち、遠心力は、図５に示す液膜の拡散状態の不安定性を促進するが、その他の粘性力、表面張力及び重力は拡散状態の不安定性を抑制する方向に作用する。
【００３４】
そして、遠心力(慣性力)が与えられた液膜は、境界層δの割合が大きいほど粘性力の影響を強く受けることになり、その結果、液膜の拡散状態の不安定性が抑制されることになる。すなわち、境界層δの割合が小さいベルカップ１１の中心付近では、遠心力の影響が大きいので拡散状態の不安定性を促進するが、境界層δの割合が小さくなるベルエッジに近い範囲では粘性力の影響が強くなって拡散状態の不安定性を抑制することになる。したがって、ベルカップ１１の中心付近では滴下された塗料の液膜を極力すばやく薄膜にするとともに、薄膜になった状態では粘性力がより大きく作用するような内面形状とすることが理論的に望ましいといえる。
【００３５】
上述した知見に基づき、ベルカップ１１の内面形状の最適化を図るために、従来のように内面全体が回転軸に向かう凹状曲面の比較例１（特許文献１の図６の構造に相当する）と、内面全体が回転軸に向かう凸状曲面の比較例２（特許文献１の図１の構造に相当する）と、内面の基端側の端部から中央部までの第１範囲は回転軸に向かう凸状の曲面で構成され、中央部からベルカップ先端縁までの第２範囲は回転軸に向かう凹状の曲面で構成された実施例１とを用意し、図１に示すような実際の回転霧化式静電塗装装置１にこれらを装着し、塗料拡散面１１１における液膜の拡散状態について観察した。ベルカップ径はφ７０ｍｍに統一した。図７に回転軸ＣＬの右側の塗料拡散面の表面形状を示す。なお、実施例１と比較例１，２との液膜の拡散状態を比較する場合は、内面形状以外の塗装条件、塗料の性質（材質や粘度等）、吐出量、ベルカップ径、回転数は全て同じ条件に統一した。
【００３６】
図８は、塗料の吐出量を１００ｃｃ／ｍｉｎ，回転数を１０００ｒｐｍとしたときの塗料拡散面における液膜の拡散状態を高速度カメラで撮影したものである。比較例１の凹状曲面のベルカップでは、半径方向にスジ状の液膜パターンが観察され、ベルエッジから放出される塗粒径が大きくばらつくのが理解できる。また比較例２の凸状曲面のベルカップでは、比較例１のようなスジ状の液膜パターンは観察されないがフィンガリング状（又はひだ状）の液膜パターンが観察され、これについてもベルエッジから放出される塗粒径がばらつくのが理解できる。これに対して、実施例１の凸状曲面及び凹状曲面のベルカップでは、スジ状の液膜パターンは観察されず、また比較例２のフィンガリング状又はひだ状の液膜パターンも抑制されていることが観察される。
【００３７】
図９は、塗料の吐出量を２００ｃｃ／ｍｉｎに上げるとともに、回転数を１００００ｒｐｍに上げたときの塗料拡散面における液膜の拡散状態を高速度カメラで撮影したものである。比較例１の凹状曲面のベルカップでは、半径方向にスジ状の液膜パターンが観察され、図８に示す比較例１よりも小さくはなっているものの、未だベルエッジから放出される塗粒径が大きくばらつくのが理解できる。また比較例２の凸状曲面のベルカップでは、比較例１のようなスジ状の液膜パターンは観察されないが未だフィンガリング状（又はひだ状）の液膜パターンが観察され、これについてもベルエッジから放出される塗粒径がばらつくのが理解できる。これに対して、実施例１の凸状曲面及び凹状曲面のベルカップでは、スジ状の液膜パターンは観察されず、また比較例２のフィンガリング状又はひだ状の液膜パターンも極めて良好に抑制されていることが観察される。
【００３８】
図１０は、塗料の吐出量をさらに４００ｃｃ／ｍｉｎに上げるとともに、回転数を３００００ｒｐｍに上げたときの塗料拡散面における液膜の拡散状態を高速度カメラで撮影したものであり、実施例１と実施例２の写真である。比較例１の写真は省略する。両者ともに回転数が３００００ｒｐｍに増加したことで液膜パターンは抑制されているが、実施例１と比較例２とを比較する限り、実施例１の液膜パターンの方が均一に拡散しているといえる。
【００３９】
図１１は、塗料の吐出量を２００ｃｃ／ｍｉｎ、回転数を１００００ｒｐｍに設定し、実施例１は塗料として水系塗料を用い、実施例２は有機溶剤系塗料を用いた場合の液膜の拡散状態を高速度カメラで撮影したものである。実施例１及び２ともに、有意差なく液膜パターンが均一に拡散していることが観察される。
【００４０】
図１２〜１４は、上記実施例１及び比較例１，２のベルカップの回転数に対する微粒化の平均粒径を示すグラフであり、図１２は塗料の吐出量を１００ｃｃ／ｍｉｎ、図１３は塗料の吐出量を２００ｃｃ／ｍｉｎ、図１４は塗料の吐出量を４００ｃｃ／ｍｉｎに設定したものである。いずれの吐出量においても回転数が同じであれば実施例１のベルカップによる平均粒径は、比較例１，２のベルカップによる平均粒径より小さくなることが確認された。
【００４１】
図１５は、上記実施例１及び比較例１，２の粒径分布を示すグラフであり、塗料の吐出量を１００ｃｃ／ｍｉｎ、回転数を３０００ｒｐｍに設定した場合の数値である。この例によると、実施例１の平均粒径は３３．２μｍ、その標準偏差は１０．６であるのに対し、比較例１の平均粒径は５６．１μｍ、その標準偏差は３７．９、比較例２の平均粒径は３７．５μｍ、その標準偏差は１２．３であった。この結果から、特に比較例２に比べ、実施例１の平均粒径が小さくなると同時に標準偏差も小さくなることが確認された。
【００４２】
以上により、塗料が供給されるベルカップ１１の基端側では、塗料拡散面１１１の塗料液膜が厚く、ベルカップ１１の回転による遠心力（慣性力）が支配的である一方で、塗料が放出するベルカップ１１の先端側では、塗料拡散面１１１の塗料液膜が薄く、塗料の粘性力が支配的である。本例のベルカップ１１は、この知見に基づいて、ベルカップ１１の基端側の塗料拡散面１１１を、塗料液膜を塗料拡散面１１１に押し付ける力ＦＮを均等にできる凸状曲面で構成するので、塗料液膜を均一に拡散させることができる。一方、ベルカップ１１の先端側の塗料拡散面１１１を、塗料液膜を塗料拡散面に沿って放出する力ＦＴを均等にできる凹状曲面で構成するので、塗料液膜を均一に拡散させることができる。
【００４３】
これにより、塗料拡散面１１１に螺旋流、スジ、フィンがリングといった流動パターンが生じるのを抑制することができ、ベルカップ１１の先端縁の全周にわたって均一な量の塗料が放出されることになる。その結果、噴霧塗粒の平均粒径を小さくすることができると同時に、粒径分布の標準偏差を小さくすることができる。
【００４４】
噴霧塗粒の平均粒径を小さくすると同時に粒径分布の標準偏差を小さくすることにより、特にメタリック塗料を大吐出量・広パターンで塗装することが可能となり、光輝材の配向性を維持乃至は高めつつ、塗装工程を短縮することができる。
【符号の説明】
【００４５】
１…回転霧化式静電塗装装置
１１…ベルカップ
１１１…塗料拡散面
１１２…外面
１１３…先端縁（塗料拡散面の終点）
１１４…凸状曲面（第１範囲）
１１５…凹状曲面（第２範囲）
１１６…変曲点
１１７…塗料拡散面の始点
１２…ハウジング
１３…エアーモータ
１４…中空シャフト
１５…塗料供給装置
１６…フィードチューブ
１７…高圧電源
１８…エアー吐出口
１９…エアー供給装置
２０，２１…エアー通路
２２…ハブ
２３…塗料吐出孔
ＣＬ…回転軸
【図１】
2014054438.tif 000003
【図２】
2014054438.tif 000004
【図３】
2014054438.tif 000005
【図４】
2014054438.tif 000006
【図５】
2014054438.tif 000007
【図６】
2014054438.tif 000008
【図７】
2014054438.tif 000009
【図８】
2014054438.tif 000010
【図９】
2014054438.tif 000011
【図１０】
2014054438.tif 000012
【図１１】
2014054438.tif 000013
【図１２】
2014054438.tif 000014
【図１３】
2014054438.tif 000015
【図１４】
2014054438.tif 000016
【図１５】
2014054438.tif 000017
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
（削除）
【請求項２】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第１範囲の凸状の曲面は、前記回転軸を含む任意平面の断面において、前記ベルカップの回転により塗料液膜に作用する遠心力の法線成分が実質的に等しくなる曲面で構成されている回転霧化式静電塗装装置のベルカップ。
【請求項３】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第２範囲の凹状の曲面は、前記回転軸を含む任意平面の断面において、前記ベルカップの回転により塗料液膜に作用する遠心力の接線成分が実質的に等しくなる曲面で構成されている回転霧化式静電塗装装置のベルカップ。
【請求項４】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第１範囲の凸状の曲面は、前記回転軸を含む任意平面の断面において、前記ベルカップの回転により塗料液膜に作用する遠心力の法線成分が実質的に等しくなる曲面で構成され、
前記第２範囲の凹状の曲面は、前記回転軸を含む任意平面の断面において、前記ベルカップの回転により塗料液膜に作用する遠心力の接線成分が実質的に等しくなる曲面で構成されている回転霧化式静電塗装装置のベルカップ。
【請求項５】
前記回転軸を含む任意平面の断面において、前記第１範囲と前記第２範囲との境界点は、前記凸状の曲線と前記凹状の曲線との変曲点で構成される請求項２〜４のいずれか一項に記載の回転霧化式静電塗装装置のベルカップ。
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第１範囲の凸状の曲面は、前記回転軸を含む任意平面の断面において、前記ベルカップの回転により塗料液膜に作用する遠心力の法線成分が実質的に等しくなる曲面で構成されている回転霧化式静電塗装装置のベルカップ。
【請求項２】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第２範囲の凹状の曲面は、前記回転軸を含む任意平面の断面において、前記ベルカップの回転により塗料液膜に作用する遠心力の接線成分が実質的に等しくなる曲面で構成されている回転霧化式静電塗装装置のベルカップ。
【請求項３】
回転霧化式静電塗装の回転軸に装着され、その内面の塗料拡散面に塗料が供給されるベルカップにおいて、
前記塗料拡散面のベルカップ基端側の端部から中央部までの第１範囲は、前記回転軸に向かう凸状の曲面で構成され、
前記中央部からベルカップ先端縁までの第２範囲は、前記回転軸に向かう凹状の曲面で構成され、
前記第１範囲の凸状の曲面は、前記回転軸を含む任意平面の断面において、前記ベルカップの回転により塗料液膜に作用する遠心力の法線成分が実質的に等しくなる曲面で構成され、
前記第２範囲の凹状の曲面は、前記回転軸を含む任意平面の断面において、前記ベルカップの回転により塗料液膜に作用する遠心力の接線成分が実質的に等しくなる曲面で構成されている回転霧化式静電塗装装置のベルカップ。
【請求項４】
前記回転軸を含む任意平面の断面において、前記第１範囲と前記第２範囲との境界点は、前記凸状の曲線と前記凹状の曲線との変曲点で構成される請求項１〜３のいずれか一項に記載の回転霧化式静電塗装装置のベルカップ。
【国際調査報告】
2014054438.tif 000018
2014054438.tif 000019
2014054438.tif 000020
2014054438.tif 000021